(57)【特許請求の範囲】
【請求項１】
ネットワーク・アドレスに基づいて画像の送受信が可能なコンピュータ・ネットワークと、
第１の電話番号に基づいて前記画像の送受信が可能な第１の電話ネットワークと、
第２の電話番号に基づいて前記画像の送受信が可能な第２の電話ネットワークと、
前記コンピュータ・ネットワークに接続され、前記第１の電話番号と該第１の電話番号に対応づけた前記ネットワーク・アドレスとを記憶する第１のアドレス提供装置と、
前記コンピュータ・ネットワークに接続され、前記第２の電話番号と該第２の電話番号に対応づけて前記第１のアドレス提供装置に記憶されたネットワーク・アドレスと同一のネットワーク・アドレスとを記憶する第２のアドレス提供装置とを含む画像通信ネットワークシステムのための画像通信装置であって、
前記画像を送信すべき相手側の画像通信装置に付与された第１の電話番号及び前記第２の電話番号のいずれかの電話番号を入力するための入力部と、
前記入力部により入力された電話番号が前記第１の電話番号及び前記第２の電話番号のいずれかを判定する判定部と、
前記判定部による判定の結果に対応した前記第１のアドレス提供装置及び第２のアドレス提供装置のいずれかに、入力された前記電話番号を送信する番号送信部と、
前記番号送信部から送信された前記電話番号に応答して前記アドレス提供装置から提供される、前記電話番号に対応するネットワーク・アドレスを受信するアドレス受信部と、
前記アドレス受信部が受信した前記ネットワーク・アドレスに基づき、前記コンピュータ・ネットワークを介して前記相手側の画像通信装置に前記画像を送信する画像送信部とを含むことを特徴とする画像通信装置。
【請求項２】
前記第１のアドレス提供装置及び前記第２のアドレス提供装置のいずれかを備えることを特徴とする請求項１記載の画像通信装置。
【請求項３】
さらに、前記両電話ネットワークのいずれかを介して前記相手側の画像通信装置に画像を送信する第２の画像送信部を含むことを特徴とする請求項１記載の画像通信装置。
【請求項４】
さらに、前記第２の画像送信部が、前記両電話番号のいずれかを用い前記両電話ネットワークのいずれかを介して相手側の画像通信装置に第１の画像を送信するとき、該送信に応答して、相手側の画像通信装置が返信する信号であって該受信側の画像通信装置に付与されているネットワーク・アドレスを含む信号を受信する信号受信部を含み、
前記第１の画像送信部は、前記信号受信部が受信した前記信号に含まれる、前記相手側の画像通信装置の前記ネットワーク・アドレスに基づき、前記コンピュータ・ネットワークを介して前記相手側の画像通信装置に第２の画像を送信することを特徴とする請求項３記載の画像通信装置。
【請求項５】
さらに、前記両電話ネットワークのいずれかを介した前記第１の画像の送受信で前記画像送信部が用いた前記電話番号と前記第１の画像の送受信で前記信号受信部が前記電話番号と対応づけて受信した前記相手側の画像通信装置のネットワーク・アドレスとを記憶する記憶部を含むことを特徴とする請求項４記載の画像通信装置。
【請求項６】
さらに、前記第２の画像送信部は、前記第１の画像送信部が、前記ネットワーク・アドレスに基づく前記コンピュータ・ネットワークを介した前記画像の送信に失敗したとき、前記両電話番号のいずれかを用いて前記両電話ネットワークのいずれかを介して前記画像を送信することを特徴とする請求項３記載の画像通信装置。
【請求項７】
さらに、前記第１の画像送信部による前記コンピュータ・ネットワークを介した送信及び前記第２の画像送信部による前記電話ネットワークを介した送信のいずれを優先させるかを指定するための操作部を含むことを特徴とする請求項３記載の画像通信装置。
【請求項８】
前記操作部は、さらに、前記第１の画像送信部による前記コンピュータ・ネットワークを介した前記画像の送信に失敗したときに、前記第２の画像送信部による前記電話ネットワークを介した前記画像の送信を行うか否かを指定するために機能することを特徴とする請求項７記載の画像通信装置。
【請求項９】
前記第１の電話ネットワークは、内線番号である前記第１の電話番号に基づいて前記画像の送受信が可能の内線電話ネットワークであり、前記第２の電話ネットワークは、外線番号である前記第２の電話番号に基づいて前記画像の送受信が可能な外線電話ネットワークであり、
前記コンピュータ・ネットワークは、ＩＰアドレスである前記ネットワーク・アドレスに基づいて前記画像の送受信が可能なイントラネット及びインターネットのいずれかであることを特徴とする請求項１記載の画像通信装置。
【請求項１０】
前記番号送信部は、入力された前記番号を前記コンピュータ・ネットワークを介して送信し、
前記アドレス受信部は、前記ネットワーク・アドレスを前記コンピュータ・ネットワークを介して受信することを特徴とする請求項１記載の画像通信装置。
【請求項１１】
ネットワーク・アドレスに基づいて画像の送受信が可能なコンピュータ・ネットワークと、
第１の電話番号に基づいて前記画像の送受信が可能な第１の電話ネットワークと、
第２の電話番号に基づいて前記画像の送受信が可能な第２の電話ネットワークと、
前記コンピュータ・ネットワークに接続され、前記第１の電話番号と該第１の電話番号に対応づけた前記ネットワーク・アドレスとを記憶する第１のアドレス提供装置と、
前記コンピュータ・ネットワークに接続され、前記第２の電話番号と該第２の電話番号に対応づけて、前記第１のアドレス提供装置に記憶されたネットワーク・アドレスと同一のネットワーク・アドレスとを記憶する第２のアドレス提供装置と、
前記コンピュータ・ネットワーク、第１の電話ネットワーク及び第２の電話ネットワークのいずれかを介して相互に画像を送受信する複数の画像通信装置とを含む画像通信ネットワークシステムであって、
前記各画像通信装置は、
前記画像を送信すべき相手側の画像通信装置に付与された第１の電話番号及び前記第２の電話番号のいずれかの電話番号を入力するための入力部と、
前記入力部により入力された電話番号が前記第１の電話番号及び前記第２の電話番号のいずれかを判定する判定部と、
前記判定部による判定の結果に対応した前記第１のアドレス提供装置及び第２のアドレス提供装置のいずれかに、入力された前記電話番号を送信する番号送信部と、
前記番号送信部から送信された前記電話番号に応答して前記アドレス提供装置から提供される、前記電話番号に対応するネットワーク・アドレスを受信するアドレス受信部と、
前記アドレス受信部が受信した前記ネットワーク・アドレスに基づき、前記コンピュータ・ネットワークを介して前記相手側の画像通信装置に前記画像を送信する画像送信部とを備えることを特徴とする画像通信システム。
【請求項１２】
前記画像通信装置は、該画像通信装置の機能部として、前記第１のアドレス提供装置及び前記第２のアドレス提供装置のいずれかを備えることを特徴とする請求項１１記載の画像通信システム。
【請求項１３】
前記画像通信装置は、さらに、前記ネットワーク・アドレスを取得する取得先の装置として、前記第１のアドレス提供装置及び前記第２のアドレス提供装置の一方を備える前記画像通信装置と他方のアドレス提供装置とのいずれかを設定するための操作部を備えることを特徴とする請求項１２記載の画像通信システム。
【請求項１４】
前記番号送信部は、入力された前記番号を前記コンピュータ・ネットワークを介して送信し、
前記アドレス受信部は、前記ネットワーク・アドレスを前記コンピュータ・ネットワークを介して受信することを特徴とする請求項１１記載の画像通信システム。
【請求項１５】
ネットワーク・アドレスに基づいて画像の送受信が可能なコンピュータ・ネットワークを介して相手側の画像通信装置との間で画像通信を行う画像通信方法であって、
前記相手側の画像通信装置の電話番号を受け付けるステップと、
受け付けた前記電話番号が第１の電話ネットワークに対応する第１の電話番号及び第２の電話ネットワークに対応する第２の電話番号のいずれであるかを判定するステップと、
前記電話番号が第１の電話番号であると判断されるとき、前記第１の電話番号とネットワーク・アドレスとを対応づけて記憶した第１のテーブルを参照することにより、前記第１の電話番号に対応するネットワーク・アドレスを取得するステップと、
前記電話番号が第２の電話番号であると判断されるとき、前記第２の電話番号と前記ネットワーク・アドレスとを対応づけて記憶した第２のテーブルを参照することにより、前記第２の電話番号に対応し、かつ、前記第１のテーブルに記憶されたネットワーク・アドレスと同一のネットワーク・アドレスを取得するステップと、
取得した前記ネットワーク・アドレスに基づき、前記相手側の画像通信装置に前記画像を送信する送信ステップとを含むことを特徴とする画像通信方法。
【請求項１６】
さらに、前記第１の電話番号に基づく第１の電話ネットワーク及び前記第２の電話番号に基づく第２の電話ネットワークのいずれかを介して前記画像を前記相手側の画像通信装置に送信する第２の送信ステップと、
前記第１の送信ステップ及び前記第２の送信ステップを選択的に実行する実行ステップとを含むことを特徴とする請求項１５記載の画像通信方法。
【請求項１７】
前記実行ステップは、前記第１の送信ステップを前記第２の送信ステップより優先させることを特徴とする請求項１６記載の画像通信方法。
【請求項１８】
前記実行ステップは、前記第１の送信ステップが失敗したとき、前記第２の送信ステップを行うことを特徴とする請求項１５記載の画像通信方法。
【請求項１９】
さらに、前記相手側の画像通信装置から前記第１の電話ネットワーク及び前記第２の電話ネットワークのいずれかを介して受信する信号であって該相手側の画像通信装置のネットワーク・アドレスを含む信号を受信するステップと、
受信した前記信号から前記相手側の画像通信装置のネットワーク・アドレスを抽出するステップとを含み、
前記第１の送信ステップは、抽出した前記ネットワーク・アドレスに基づき前記コンピュータ・ネットワークを介して前記相手側の画像通信装置に前記画像を送信することを特徴とする請求項１５記載の画像通信方法。
【発明の詳細な説明】
【０００１】
【発明の属する技術分野】
本発明は、コンピュータ・ネットワークを介して画像を相互に送受信する画像通信装置、該画像通信装置を含む画像通信システム、並びに前記画像通信装置または前記画像通信システムに用いられる画像通信方法に関し、特に、ＩＰネットワークを介した画像通信に好適な画像通信装置、画像通信システ及び画像通信方法に関する。
【０００２】
【従来の技術】
従来の画像通信システムでは、画像を送信すべき相手側の画像通信装置、例えば相手側のファクシミリ装置を該ファクシミリ装置に付与されている電話番号により指定し、電話網を介して前記画像を前記相手側のファクシミリ装置へ送信している。昨今では、前記電話網による画像の送受信に加え、インターネット及びイントラネットのようなコンピュータ・ネットワーク上のネットワーク・アドレスにより相手側の画像通信装置を指定し、前記コンピュータ・ネットワークを介して画像を送受信することが普及しつつある。
【０００３】
上記した従来の画像通信システムでは、受信側の画像通信装置に付与されたネットワーク・アドレスを送信側の画像通信装置が取得することができるようにするために、ゲートキーパ装置が設けられている。ゲートキーパ装置は、前記電話番号とネットワーク・アドレスとの対応関係を記憶し、前記送信側の画像通信装置の問い合わせに応答して、受信側の画像通信装置のネットワーク・アドレスを前記送信側の画像通信装置に通知する。
【０００４】
【発明が解決しようとする課題】
しかしながら、ネットワークに関する勧告の一つであるＩＴＵ−Ｔの勧告Ｔ．３２３によれば、ゲートキーパ装置は、前記電話番号及びネットワーク・アドレスの対応関係を一つのみ記憶し、該対応関係に基づき前記電話番号を提供することが認められているだけである。そのために、前記電話番号として、例えば、外線番号および内線番号のいずれか一方のみが固定的に用いられており、外線番号及び内線番号の両電話番号の両者を選択的に用いることができなかった。
【０００５】
したがって、本発明の目的は、複数の系統の電話番号に対応するネットワーク・アドレスを用いて画像を送信することができる画像通信装置、画像通信システム及び画像通信方法を提供することにある。
【０００６】
【課題を解決するための手段】
本発明に係る画像通信装置は、ネットワーク・アドレスに基づいて画像の送受信が可能なコンピュータ・ネットワークと、第１の電話番号に基づいて前記画像の送受信が可能な第１の電話ネットワークと、第２の電話番号に基づいて前記画像の送受信が可能な第２の電話ネットワークと、前記コンピュータ・ネットワークに接続され、前記第１の電話番号と該第１の電話番号に対応づけた前記ネットワーク・アドレスとを記憶する第１のアドレス提供装置と、前記コンピュータ・ネットワークに接続され、前記第２の電話番号と該第２の電話番号に対応づけて前記第１のアドレス提供装置に記憶されたネットワーク・アドレスと同一のネットワーク・アドレスとを記憶する第２のアドレス提供装置とを含む画像通信ネットワークシステムのための画像通信装置であって、前記画像を送信すべき相手側の画像通信装置に付与された第１の電話番号及び前記第２の電話番号のいずれかの電話番号を入力するための入力部と、前記入力部により入力された電話番号が前記第１の電話番号及び前記第２の電話番号のいずれかを判定する判定部と、前記判定部による判定の結果に対応した前記第１のアドレス提供装置及び第２のアドレス提供装置のいずれかに、入力された前記電話番号を送信する番号送信部と、前記番号送信部から送信された前記電話番号に応答して前記アドレス提供装置から提供される、前記電話番号に対応するネットワーク・アドレスを受信するアドレス受信部と、前記アドレス受信部が受信した前記ネットワーク・アドレスに基づき、前記コンピュータ・ネットワークを介して前記相手側の画像通信装置に前記画像を送信する画像送信部とを含むことを特徴とする。
【０００７】
本発明に係る画像通信システムは、ネットワーク・アドレスに基づいて画像の送受信が可能なコンピュータ・ネットワークと、第１の電話番号に基づいて前記画像の送受信が可能な第１の電話ネットワークと、第２の電話番号に基づいて前記画像の送受信が可能な第２の電話ネットワークと、前記コンピュータ・ネットワークに接続され、前記第１の電話番号と該第１の電話番号に対応づけた前記ネットワーク・アドレスとを記憶する第１のアドレス提供装置と、前記コンピュータ・ネットワークに接続され、前記第２の電話番号と該第２の電話番号に対応づけて、前記第１のアドレス提供装置に記憶されたネットワーク・アドレスと同一のネットワーク・アドレスとを記憶する第２のアドレス提供装置と、前記コンピュータ・ネットワーク、第１の電話ネットワーク及び第２の電話ネットワークのいずれかを介して相互に画像を送受信する複数の画像通信装置とを含む画像通信ネットワークシステムであって、前記各画像通信装置は、前記画像を送信すべき相手側の画像通信装置に付与された第１の電話番号及び前記第２の電話番号のいずれかの電話番号を入力するための入力部と、前記入力部により入力された電話番号が前記第１の電話番号及び前記第２の電話番号のいずれかを判定する判定部と、前記判定部による判定の結果に対応した前記第１のアドレス提供装置及び第２のアドレス提供装置のいずれかに、入力された前記電話番号を送信する番号送信部と、前記番号送信部から送信された前記電話番号に応答して前記アドレス提供装置から提供される、前記電話番号に対応するネットワーク・アドレスを受信するアドレス受信部と、前記アドレス受信部が受信した前記ネットワーク・アドレスに基づき、前記コンピュータ・ネットワークを介して前記相手側の画像通信装置に前記画像を送信する画像送信部とを備えることを特徴とする。
【０００８】
本発明に係る画像通信方法は、ネットワーク・アドレスに基づいて画像の送受信が可能なコンピュータ・ネットワークを介して相手側の画像通信装置との間で画像通信を行う画像通信方法であって、前記相手側の画像通信装置の電話番号を受け付けるステップと、受け付けた前記電話番号が第１の電話ネットワークに対応する第１の電話番号及び第２の電話ネットワークに対応する第２の電話番号のいずれであるかを判定するステップと、前記電話番号が第１の電話番号であると判断されるとき、前記第１の電話番号とネットワーク・アドレスとを対応づけて記憶した第１のテーブルを参照することにより、前記第１の電話番号に対応するネットワーク・アドレスを取得するステップと、前記電話番号が第２の電話番号であると判断されるとき、前記第２の電話番号と前記ネットワーク・アドレスとを対応づけて記憶した第２のテーブルを参照することにより、前記第２の電話番号に対応し、かつ、前記第１のテーブルに記憶されたネットワーク・アドレスと同一のネットワーク・アドレスを取得するステップと、取得した前記ネットワーク・アドレスに基づき、前記相手側の画像通信装置に前記画像を送信する送信ステップとを含むことを特徴とする。
【０００９】
【発明の実施の形態】
以下、本発明に係る画像通信装置及び画像通信システムの具体例について説明する。
〈具体例１〉
具体例１の画像通信装置について説明する。具体例１の画像通信装置は、内線電話用の電話網及び外線電話用の電話網を含む電話網、またはコンピュータ・ネットワークであるＩＰ（Internet Protocol）網のいずれかを介して、相手側の画像通信装置へ画像を送信する。
【００１０】
図１は、具体例１の画像通信装置の構成を示す。具体例１の画像通信装置１０００は、電話網接続手段１と、ＩＰ網接続手段２と、通信接続制御手段３と、アドレス・データバス５と、画像情報圧縮・復元部６と、ラインメモリ７と、画像処理部８と、プリンタ９と、スキャナ１２と、インタフェース１３と、機構制御部１４と、操作・表示部１５とを備える。
【００１１】
電話網接続手段１は、前記電話網を介して、相手側の画像通信装置（例えば、ファクシミリ装置）と画像信号を送受信するために、モデム・ＮＣＵインタフェース１６と、モデム１７と、ＮＣＵ（網制御装置）１８とが配置されている。
モデム・ＮＣＵインタフェース１６は、アドレス情報を伝送するためのアドレス・データバス５とモデム１７及びＮＣＵ１８とを接続する。モデム１７は、ＩＴＵ−Ｔ勧告Ｖ．１７及びＶ．３４の機能を有する。ＮＣＵ１８は、電話網への接続のための処理を行う。
【００１２】
番号送信部、アドレス受信部及び画像送信部として機能するＩＰ網接続手段２は、ＩＰ網を介して前記相手側の画像通信装置と画像信号を送受信するために、及びアドレス提供装置であるゲートキーパとの送受信のために、即ち、前記ゲートキーパへの電話番号の送信及び前記ゲートキーパからのＩＰアドレスの受信のために、ＬＡＮインタフェース部１９と、ＬＣＵ（ＬＡＮ制御装置）２０とが配置されている。ＬＡＮインタフェース部１９は、前記アドレス・データバス５とＬＣＵ２０とを接続する。ＬＣＵ２０は、ＩＰ網への接続のための処理を行う。
【００１３】
通信接続制御手段３は、上記電話網接続手段１及び上記ＩＰ網接続手段２を制御することにより、前記相手側の画像通信装置に回線接続するために、アドレス取得部２１と、ＲＡＭ（Random Access Memory）２３と、ＣＰＵ（制御部）２４とが配置されている。
アドレス取得部２１は、前記相手側の画像通信装置の電話番号に基づき、前記相手側の画像通信装置に付与されている電話番号及びＩＰアドレスを管理するゲートキーパ（後述）にアクセスすることにより、前記相手側の画像通信装置のＩＰアドレスを検索する検索手順を記憶する記憶部であり、例えば、ＲＯＭ（Read Only Memory）を含む。アドレス取得部２１は、異なる系統の電話番号、例えば内線番号と外線番号を識別する、判定部であるゲートキーパ識別部２２を含んでいる。ゲートキーパ識別部２２は、判定部として、例えば、電話番号の先頭が“０”であるときには、前記電話番号が外線番号であると識別し、電話番号の桁数が４桁であるときには、前記電話番号が内線番号であると識別する。
【００１４】
ＣＰＵ２４は、アドレス取得部２１が記憶する前記検索手順に従って、前記ゲートキーパにアクセスすることにより、前記相手側の画像通信装置のＩＰアドレスを検索し、該ＩＰアドレスに基づきＩＰ網経由で相手側の画像通信装置に回線接続する。
【００１５】
画像情報圧縮・復元部６は、送信時には、送信すべき画データを圧縮し、受信時には、受信した圧縮状態の画データを復元する。ラインメモリ７は、送信すべき画データ又は受信した画データを格納する。画像処理部８は、スキャナ１２及びプリンタ９に接続され、相手側の画像通信装置へ送信すべき、スキャナ１２で読み取られた画データを処理し、また、相手側の画像通信装置から受信した、プリンタ９へ送出すべき画データを処理する。プリンタ９は、画像処理部８から画データを受け取り、記録紙１０上に再現する。スキャナ１２は、送信原稿１１から画像を読み取って画データに変換する。
【００１６】
入力部として機能するインタフェース１３は、各種のドライバやセンサである機構制御部１４及び操作・表示部１５をアドレス・データバス５に接続する。操作・表示部１５は、オペレータにより入力される画像送信のための指示をＣＰＵ２４に通知し、また、画像通信装置１０００の動作状態をオペレータに表示する。
【００１７】
前記した画像通信装置１０００を含む画像通信システムについて説明する。
図２は、具体例１の画像通信システムを示す。具体例１の画像通信システムは、例えば、ルータ１００を経由して相互に接続されるＩＰ網１１０とＩＰ網１２０とにより構成される。
【００１８】
ＩＰ網１１０には、ゲートキーパ１３０とファクシミリ装置１５０とが接続されている。更にファクシミリ装置１５０は、構内交換機ＰＢＸ１７０を介して公衆回線１９０に接続されている。
ＩＰ網１２０には、ゲートキーパ１４０とファクシミリ装置１６０とが接続されている。更にファクシミリ装置１６０は、構内交換機ＰＢＸ１８０を介して公衆回線１９０に接続されている。
【００１９】
ここで、ファクシミリ装置１５０（外線番号03-987-6543、内線番号5001）と、ファクシミリ装置１６０（外線番号03-123-4567、内線番号8001）は、図１に示した画像通信装置である。
【００２０】
ゲートキーパ１３０は、内線用ゲートキーパとして機能するために、ファクシミリ装置１５０及びファクシミリ装置１６０の登録のための情報、例えば、内線番号及びＩＰアドレスをファクシミリ装置１５０及び１６０から受信する。より具体的には、ゲートキーパ１３０は、図１に示すように、内線番号とＩＰアドレスとの対応関係を示す変換テーブル１３１を記憶する。図１では、例えば、ファクシミリ装置１５０の内線番号５００１に、ＩＰアドレスのａｂｃ＠…が対応することが示されている。
【００２１】
ゲートキーパ１４０は、外線用ゲートキーパとして機能するために、ファクシミリ装置１５０及びファクシミリ装置１６０各々の外線番号の登録のため情報、例えば、外線番号及びＩＰアドレスをファクシミリ装置１５０及び１６０から受信する。より具体的には、ゲートキーパ１４０は、図１に示すように、外線場号とＩＰアドレスとの対応関係を示す変換テーブル１４１を記憶する。図１では、例えば、ファクシミリ装置１５０の外線番号０３−９８７−６５４３に、ＩＰアドレスのａｂｃ＠…が対応することが示されている。
【００２２】
〈具体例１の動作〉
図１に戻り、具体例１の画像通信装置の送信動作及び受信動作について説明する。具体例１の画像通信装置の送信動作には、電話網経由での送信動作（１）及びＩＰ経由での送信動作（２）の２種類があり、また、受信動作にも、電話網経由での受信動作（３）及びＩＰ経由での受信動作（４）の２種類がある。
（１）電話網接続手段１により電話網経由で画データを送信する動作
スキャナ１２は、送信原稿１１の画像を読み取る。読み取られた画データは、画像処理部８で画像処理された後、一旦ラインメモリ７に記憶される。その後、画データは、画像情報圧縮・復元部６によって、ラインメモリ７から読み出され、圧縮され、アドレス・データバス５を介してＲＡＭ２３に格納される。ここで、ＲＡＭ２３は、送信バッファの役目を果たす。続いて、画データは、アドレス・データバス５を介してモデム・ＮＣＵインタフェース１６に至り、モデム１７によって変調され、ＮＣＵ１８から電話網に送出される。
【００２３】
（２）ＩＰ網接続手段２によりＩＰ網経由で画データを送信する動作
上記（１）と同様にして、スキャナ１２は、送信原稿１１の画像を読み取る。読み取られた画データは、画像処理部８で画像処理された後一旦ラインメモリ７に記憶される。その後、画データは、画像情報圧縮・復元部６によって、ラインメモリ７から読み出され、圧縮され、アドレス・データバス５を介してＲＡＭ２３に格納される。上記（１）と異なり、画像データは、ＬＡＮインタフェース部１９によってパケットデータに変換され、ＬＣＵ２０を経てＩＰ網へ送出される。
【００２４】
（３）電話網経由で電話網接続手段１により画データを受信する動作
電話網を介して受信された画データは、ＮＣＵ１８を通過し、モデム１７で復調される。画データは、さらに、モデム・ＮＣＵインタフェース１６及びデータバス５を経てＲＡＭ２３に格納される。ここで、ＲＡＭ２３は、受信バッファの役目を果たす。その後、画データは、画像情報圧縮・復元部６で復元され、ラインメモリ７及び画像処理部８を経てプリンタ９に送られる。画データは、プリンタ９によって記録紙１０上に再現される。
【００２５】
（４）ＩＰ網経由でＩＰ網接続手段２により画データを受信する動作
画データは、ＩＰ網を介して受信される。ＬＣＵ２０、ＬＡＮインタフェース部１９及びアドレス・データバス５を経て、ＲＡＭ２３に格納される。上記（３）と同様にして、その後、画データは、画像情報圧縮・復元部６で復元され、ラインメモリ７及び画像処理部８を経てプリンタ９に送られる。画データは、プリンタ９によって記録紙１０上に再現される。
【００２６】
なお、電話網を介した上記送信動作（１）は、ＩＴＵ−Ｔ勧告Ｔ．３０に従って実施される。前記送信動作に関する通信手順の情報は、ＣＰＵ２４によってデータバス５を介してモデム・ＮＣＵインタフェース１６に送られ、更にモデム１７へ送られる。モデム１７によって画データは、変調されてＮＣＵ１８を経て電話網へ送出される。また、図１に示す構成と同様の構成を有する相手側の画像通信装置では、電話網から送られてくる、前記送信動作に関する通信手順の情報は、ＮＣＵ１８を経てモデム１７へ送られ、該モデム１７で復調されて、モデム・ＮＣＵインタフェース１６及びデータバス５を介してＣＰＵ２４に送られる。
【００２７】
一方、上記ＩＰ網を介した送信動作（２）は、ＩＴＵ−Ｔ勧告のＴ．３８に従って実施される。前記送信動作に関する通信手順の情報は、ＣＰＵ２４によってデータバス５を介してＬＡＮインタフェース部１９へ送られる。ここで、画データは、パケットデータに変換されてＬＣＵ２０を経てＩＰ回線へ送出される。また、図１に示す構成と同様な構成を有する相手側の画像通信装置では、ＩＰ網から送られてくる前記通信手順の情報手順信号は、ＬＣＵ２０、ＬＡＮインタフェース部１９、データバス５を経てＣＰＵ２４へ送られる。
【００２８】
次に、前記画像通信装置を用いて構成したネットワークシステムの通信動作について説明する。
図３は、前記画像通信装置を用いたネットワークシステムの動作説明図である。
ここでは、一例として、前記画像通信装置が、内線系統の電話番号と外線系統の電話番号と２系統の電話番号を持つことを想定する。
【００２９】
動作の説明及び理解を容易にすべく、ファクシミリ装置１５０からファクシミリ装置１６０へ画像を送出することを想定する。
【００３０】
（１）ゲートキーパへの自機電話番号の登録
ステップＳ１：オペレータが、操作・表示部１５を操作することにより、ファクシミリ装置１５０及びファクシミリ装置１６０の内線電話番号または外線電話番号を入力すると、ファクシミリ装置１５０、１６０は、入力された電話番号が内線番号または外線番号であるかを判断する。
【００３１】
ステップＳ２：ファクシミリ装置１５０及び１６０は、入力された前記電話番号が外線番号であると判断すると、前記外線番号をゲートキーパ１４０に登録する。
ステップＳ３：ファクシミリ装置１５０及び１６０は、入力された前記電話番号が内線番号であると判断すると、前記内線番号をゲートキーパ１３０に登録する。
【００３２】
（２）発呼及び通信
ステップＳ４：オペレータがファクシミリ装置１５０に送信原稿をセットし、ファクシミリ装置１６０の外線電話番号（03-123-4567）を入力する。
【００３３】
ステップＳ５：ファクシミリ装置１５０では、通信接続制御手段３のゲートキーパ識別部２２が、前記入力された電話番号が内線番号及び外線番号のいずれであるかを判断する。
ステップＳ６：電話番号の先頭が外線を表す「０」であることから、ゲートキーパ識別部２２が、入力された前記電話番号が外線電話番号であることを検出する。これにより、通信接続制御手段３は、外線用のゲートキーパ１４０にアクセスすべきであると認識する。この結果、ＩＰ網接続手段２は、外線用のゲートキーパ１４０にアクセスし、ゲートキーパ１４０内の変換テーブル１４１に基づき、ＩＰアドレスを取得する。
さらに、通信接続制御手段３は、ＩＰ網１１０、ルータ１００及びＩＰ網１２０を介してゲートキーパ１４０にアクセスして、相手側のファクシミリ装置１６０のＩＰアドレスを取得する。
【００３４】
ステップＳ７：内線電話番号（8001）が入力されたときには、入力された前記電話番号の先頭が内線を表す「８」であることから、ゲートキーパ識別部２２は、前記電話番号が内線電話番号であることを検出する。これにより、通信接続制御手段３は、内線用のゲートキーパ１３０にアクセスしてゲートキーパ１３０内の変換テーブル１３１に基づきＩＰアドレスを取得する。
【００３５】
ステップＳ８：通信接続制御手段３が相手側のファクシミリ装置１６０のＩＰアドレスを取得すると、ＩＰ網接続手段２は、該ＩＰアドレスを用いて、ＩＰ網１１０、ルータ１００及びＩＰ網１２０を介してファクシミリ装置１６０へ接続要求（ＳＥＴＵＰ）を送出する。
【００３６】
ステップＳ９：ファクシミリ装置１６０は、接続要求（ＳＥＴＵＰ）を受信すると、ゲートキーパ１４０に対して受信許可を求め（ＡＲＱ）、ゲートキーパ１４０から許可（ＡＣＦ）されると、接続了解（ＣＯＮＮＥＣＴ）をファクシミリ装置１５０へ返信する。以後、ＩＴＵ−Ｔ勧告のＴ．３８に準拠した通信が行われる。画像の通信終了の後、受信側のファクシミリ装置１６０は、送信側のファクシミリ装置１５０から回線断の要求を受信すると、送信側のファクシミリ装置１５０との間の接続を切断する。
【００３７】
上記したように、具体例１の画像通信装置では、判定部である通信接続制御手段３が、オペレータにより入力された電話番号が内線番号及び外線番号のいずれであるかを判定し、該判定の結果に基づき、ＩＰ網接続手段２が、内線用ゲートキーパ１３０及び外線用ゲートキーパ１４０のうちのアクセスすべき方のゲートキーパにアクセスすることにより、入力された前記電話番号に対応するＩＰアドレスを入手する。したがって、入力される電話番号が内線番号であるか外線番号であるかを問わず、ＩＰアドレスを取得し、取得した該ＩＰアドレスに基づきＩＰ網１１０及び１２０を介して相手側の画像通信装置へ画像を送信することができる。
【００３８】
〈具体例２〉
具体例２の画像通信装置は、具体例１のゲートキーパ１３０に記憶された変換テーブル１３１及びゲートキーパ１４０に記憶された変換テーブル１４１のうちのいずれかに相当する電話番号／ＩＰアドレス変換テーブルを備える。例えば、具体例２のゲートキーパが外線用のゲートキーパとして機能するときには、具体例２の画像通信装置は、具体例１の内線用の変換テーブル１３１に相当する変換テーブルを記憶することにより、具体例１の内線用のゲートキーパ１３０と同様に機能する。以下、具体例１及び具体例２間の相違を主に説明する。
【００３９】
図４は、具体例２の構成を示す。具体例２の画像通信装置２０００は、図４に示されるように、電話網接続手段１と、ＩＰ網接続手段２と、通信接続制御手段３０と、アドレス・データバス５と、画像情報圧縮・復元部６と、ラインメモリ７と、画像処理部８と、プリンタ９と、スキャナ１２と、インタフェース１３と、機構制御部１４と、操作・表示部１５とを備える。
【００４０】
通信接続制御手段３０は、上記電話網接続手段１及び上記ＩＰ網接続手段２を制御することにより、画像通信装置２０００を前記相手側の画像通信装置に回線接続させるべく、アドレス取得部３２と、ＲＡＭ（Random Access Memory）３４と、ＣＰＵ（制御部）２４とが配置されている。
アドレス取得部３２は、前記相手側の画像通信装置の電話番号に基づいて、前記相手側の画像通信装置の電話番号及びＩＰアドレスを管理するゲートキーパにアクセスし、前記相手側の画像通信装置のＩＰアドレスを検索する検索手順を記憶する。アドレス取得部３２は、異なる系統の電話番号（例えば内線系統と外線系統）を識別し、また、後述する電話番号／ＩＰアドレス変換テーブル管理するための電話番号／ＩＰアドレス変換テーブル管理プログラム３３を含む。
【００４１】
ＲＡＭ３４は、電話番号／ＩＰアドレス変換テーブル２４１を含む、書き込み可能なメモリである。
電話番号／ＩＰアドレス変換テーブル２４１は、電話番号をＩＰアドレスに変換する変換テーブルであり、具体例１の図１で説明した変換テーブル１３１及び１４１のいずれかに相当する。
ＣＰＵ２４は、アドレス取得部３２が記憶する検索手順に従って、前記相手側の画像通信装置の電話番号及びＩＰアドレスを管理する前記ゲートキーパにアクセスし、前記相手側の画像通信装置のＩＰアドレスを検索し、該ＩＰアドレスに基づき、画像通信装置２０００を前記相手側の画像通信装置に回線接続させる。
【００４２】
次に、具体例２の画像通信装置を用いて構成したネットワークシステムについて説明する。
図５は、具体例２の画像ネットワークシステムを示す。図５で、具体例２の画像ネットワークシステムは、ルータ２００を経由して接続されるＩＰ網２１０とＩＰ網２２０によって構成される。
【００４３】
ＩＰ網２１０には、ファクシミリ装置２４０が接続されている。更に、ファクシミリ装置２４０は、構内交換機ＰＢＸ２６０を介して公衆回線２８０に接続されている。
ＩＰ網２２０には、ゲートキーパ２３０とファクシミリ装置２５０とが接続されている。更に、ファクシミリ装置２５０は、構内交換機ＰＢＸ２７０を介して公衆回線２８０に接続されている。
【００４４】
ファクシミリ装置２４０（外線番号03-987-6544、内線番号5002）と、ファクシミリ装置２５０（外線番号03-123-4568、内線番号8002）とは、図４に示した画像通信装置である。ファクシミリ装置２４０は、具体例１の内線用ゲートキーパ１３０と同様に機能するために、具体例１の内線用変換テーブル１３１に相当する内線用変換テーブル２４１を有する。
【００４５】
ゲートキーパ２３０は、具体例１のゲートキーパ１４０と同様にして、ファクシミリ装置２４０及びファクシミリ装置２５０の各々の外線番号の登録を受信し、外線用ゲートキーパとして機能する。即ち、ゲートキーパ２３０は、具体例１の外線用変換テーブル１４１に相当する外線用変換テーブル２３１を記憶する。
【００４６】
次に、具体例２の画像通信装置を用いて構成したネットワークシステムの通信動作について、具体例１の差異を主に説明する。
図６は、具体例２の画像通信装置を用いたネットワークシステムの動作説明図である。
【００４７】
動作の説明及び理解を容易にすべく、ファクシミリ装置２４０からファクシミリ装置２５０へ画像を送出することを想定する。
【００４８】
（１）ゲートキーパ及び電話番号／ＩＰアドレス変換テーブル２４１への自機電話番号の登録
ステップＳ１１：オペレータの操作により、ファクシミリ装置２４０及びファクシミリ装置２５０の電話番号が入力される。
ステップＳ１２：ファクシミリ装置２４０、２５０は、入力された前記電話番号が外線番号であると判断するときには、外線電話番号をゲートキーパ２３０に登録する。
【００４９】
（２）通信先の内線番号とＩＰアドレス登録
相手側の画像通信装置２５０が内線番号を有するときには、内線番号とＩＰアドレスの対応が、以下の手順により、画像通信装置２５０内の電話番号／ＩＰアドレス変換テーブル２４１に登録される。
ステップＳ１３：オペレータが登録操作を開始すると、画像通信装置２４０は、オペレータに、相手側の画像通信装置２５０の内線番号を入力すべき旨の指示を行う。
ステップＳ１４：画像通信装置２４０は、オペレータによる内線番号の入力を待つ。
ステップＳ１５：オペレータが内線番号の入力を完了すると、画像通信装置２４０は、引き続き、前記内線番号に対応するＩＰアドレスを入力すべき旨の指示をオペレータに行う。
ステップＳ１６：画像通信装置２４０は、オペレータによるＩＰアドレスの入力を待つ。
ステップＳ１７：オペレータがＩＰアドレスの入力を完了すると、画像通信装置２４０は、前記内線番号とＩＰアドレスの対応を電話番号／ＩＰアドレス変換テーブル２４１に登録する。更に、他の内線番号及びＩＰアドレスの組み合わせの登録が要求されたときには、画像通信装置２４０は、ステップＳ１３に戻り、登録を繰り返す。
【００５０】
（３）発呼及び通信
ステップＳ１８：オペレータがファクシミリ装置２４０に送信原稿をセットして相手側のファクシミリ装置２５０の外線電話番号（03-123-4568）を入力する。
【００５１】
ステップＳ１９：通信接続制御手段３０では、電話番号の先頭が外線を表す「０」であることから、電話番号／ＩＰアドレス変換テーブル管理プログラム３３は、前記電話番号が外線電話番号であることを検出する。これにより、通信接続制御手段３０は、外線用ゲートキーパ２３０にアクセスすべきであることを認識する。
ステップＳ２０：通信接続制御手段３０は、具体例１と同様にして、ＩＰ網２１０、ルータ２００及びＩＰ網２２０を介してゲートキーパ２３０にアクセスし、入力されたファクシミリ装置２５０の外線番号に対応するＩＰアドレスを取得する。
【００５２】
ステップＳ２１：内線電話番号（8002）が入力されたときには、通信接続制御手段３０では、電話番号の先頭が内線を表す「８」であることから、電話番号／ＩＰアドレス変換テーブル管理プログラム３３は、入力された前記電話番号が内線番号であることを検出する。これにより、通信接続制御手段３０は、内蔵された電話番号／ＩＰアドレス変換テーブル２４１にアクセスすべきであることを認識する。通信接続制御手段３０は、前記認識に従って、電話番号／ＩＰアドレス変換テーブル２４１にアクセスすることにより、入力されたファクシミリ装置２５０の前記内線番号に対応するＩＰアドレスを取得する。
【００５３】
ステップＳ２２：通信接続制御手段３０が相手側のファクシミリ装置２５０のＩＰアドレスを取得すると、ＩＰ網接続手段２は、前記ＩＰアドレスを用いて、ＩＰ網２１０、ルータ２００及びＩＰ網２２０を介してファクシミリ装置２５０へ接続要求（ＳＥＴＵＰ）を送出する。
【００５４】
ステップＳ２３：相手側のファクシミリ装置２５０は、接続要求（ＳＥＴＵＰ）を受信すると、ゲートキーパ２３０に、受信許可を求め（ＡＲＱ）、ゲートキーパ２３０から許可（ＡＣＦ）されると、ファクシミリ装置２４０に接続了解（ＣＯＮＮＥＣＴ）を返信する。以後、ＩＴＵ−Ｔ勧告のＴ．３８に準拠した通信が行われる。画像の通信が終了した後、受信側のファクシミリ装置２５０は、送信側のファクシミリ装置２４０から回線断の要求を受信すると、送信側のファクシミリ装置２４０との間の接続を切断する。
【００５５】
上記したように、具体例２の画像通信装置では、判定部である通信接続制御手段３０が、オペレータにより入力された電話番号が内線番号及び外線番号のいずれであるかを判定し、該判定の結果に従って、外線番号とＩＰアドレスとの対応関係を示すテーブルを記憶するゲートキーパ２３０に、入力された前記外線番号に対応するＩＰアドレスを問い合わせ、または、内線番号とＩＰアドレスとの対応関係を示す電話番号／ＩＰアドレス変換テーブル２４１を有する自己の画像通信装置２４０内で、入力された前記内線番号に対応するＩＰアドレスを検索する。これにより、具体例１の画像通信装置と同様に、画像通信装置に入力される電話番号が内線番号であるか外線番号であるかを問わず、入力された電話番号に対応するＩＰアドレスを取得し、取得した該ＩＰアドレスに基づき画像を相手側の画像通信装置へ送信することが可能になる。
【００５６】
〈具体例３〉
具体例３の画像通信装置は、ゲートキーパ内の変換テーブルを参照すること及び画像通信装置内のテーブルを参照することのいずれかを選択することができることを特徴とする。
図７は、具体例３のネットワークシステムの構成を示す。具体例３のネットワークシステムは、図７に示されているように、ルータ３００を経由して接続されるＩＰ網３１０とＩＰ網３２０によって構成される。ＩＰ網３１０には、ファクシミリ装置３３０及びゲートキーパ３４０が接続されている。また、ＩＰ網３２０には、ファクシミリ装置３５０が接続されている。ファクシミリ装置３３０の構成は、図４に示した変換テーブル２４１を備えるファクシミリ装置２０００の構成と同様であり、他方ファクシミリ装置３５０の構成は、図１に示したファクシミリ装置１０００の構成と同様である。
【００５７】
より正確には、同一の内容を含む変換テーブルが、即ち、内線番号とＩＰアドレスとの対応関係を示す変換テーブルまたは外線番号とＩＰアドレスとの対応関係を示す変換テーブルが、ゲートキーパ３４０及びファクシミリ装置３３０に共通に格納されている。
【００５８】
図８は、具体例３のネットワークシステムの動作を示す。動作の説明及び理解を容易にすべく、ファクシミリ装置３３０からファクシミリ装置３５０に画像を送信することを想定する。
ステップＳ１００：オペレータは、ＩＰアドレスの検索先として、ゲートキーパ３４０またはファクシミリ装置３３０自身のいずれかを操作・表示部１５により選択する。ファクシミリ装置３３０は、選択された検索先を、例えばＲＡＭ２３に格納する。
ステップＳ１１０：ファクシミリ装置３３０は、ゲートキーパ３４０またはファクシミリ装置３３０のいずれが選択されたかを判断する。
【００５９】
ステップＳ１２０：ゲートキーパ３４０が選択されたと判断すると、ファクシミリ装置３３０は、自己のファクシミリ装置の電話番号及びＩＰアドレスを前記した具体例１、２と同様にして、ゲートキーパ３４０に登録する。
ステップＳ１３０：ファクシミリ装置３３０が選択されたと判断すると、ファクシミリ装置３３０は、オペレータにファクシミリ装置３３０の電話番号及びＩＰアドレスの入力を要求し、該要求に応答してオペレータにより入力された電話番号及びＩＰアドレスを該装置３３０内の変換テーブル２４１に格納する。
【００６０】
ステップＳ１４０：オペレータが送信原稿をセットし、相手側のファクシミリ装置３５０の電話番号を入力する。
ステップＳ１５０：ファクシミリ装置３３０は、ＲＡＭ２３を参照することにより、ＩＰアドレスの検索先としてゲートキーパ３４０またはファクシミリ装置３３０のいずれが選択されているかを確認する。
【００６１】
ステップＳ１６０：ＩＰアドレスの検索先としてゲートキーパ３４０が選択されていることを確認すると、ファクシミリ装置３３０は、ＩＰ網３１０を介してゲートキーパ３４０にアクセスすることにより、ゲートキーパ３４０から、入力された前記電話番号に対応するＩＰアドレスを取得する。
【００６２】
ステップＳ１７０：ＩＰアドレスの検索先としてファクシミリ装置３３０が選択されていることを確認すると、ファクシミリ装置３３０は、自己のファクシミリ装置３３０内の変換テーブル２４１を参照することにより、入力された前記電話番号に対応するＩＰアドレスを取得する。
【００６３】
ステップＳ１８０：ゲートキーパ３４０へのアクセスまたはファクシミリ装置３３０内での検索によりＩＰアドレスを取得すると、以後、具体例１及び２と同様にして、ファクシミリ装置３３０は、前記ＩＰアドレスに基づき、ＩＰ網３１０、ルータ３００及びＩＰ網３２０を介して相手側のファクシミリ装置３５０に画像を送信した後、通信を終了する。
【００６４】
上記したように、具体例３の画像通信装置では、操作・表示部１５は、ＩＰアドレスの検索先として、ファクシミリ装置３３０またはゲートキーパ３４０のいずれかを選択するために機能することから、ファクシミリ装置３３０が変換テーブル２４１を有するか否か、ネットワークシステムがゲートキーパ３４０を有するか否か等の種々の条件に対応して、ＩＰアドレスを取得することが可能になる。
【００６５】
〈具体例４〉
具体例４の画像通信装置は、電話網を介して画像を相手側の画像通信装置にファクシミリ送信する間に、相手側のファクシミリ装置から受信する信号であって該相手側の画像通信装置のＩＰアドレスを含む信号から、前記相手側の画像通信装置のＩＰアドレスを取得することを特徴とする。
【００６６】
図９は、具体例４の構成のブロック図である。図９で、具体例４の画像通信装置４０００は、電話網接続手段１と、ＩＰ網接続手段２と、通信接続制御手段４０と、アドレス・データバス５と、画像情報圧縮・復元部６と、ラインメモリ７と、画像処理部８と、プリンタ９と、スキャナ１２と、インタフェース１３と、機構制御部１４と、操作・表示部１５とを備える。
【００６７】
通信接続制御手段４０は、上記電話網接続手段１及び上記ＩＰ網接続手段２を制御して画像通信装置４０００を前記相手側の画像通信装置に回線接続させるべく、アドレス取得部４２と、ＲＡＭ４４と、ＣＰＵ２４とが配置されている。
【００６８】
アドレス取得部４２は、前記相手側の画像通信装置の電話番号に基づいて、前記相手側の画像通信装置のＩＰアドレス及び電話番号を管理するゲートキーパにアクセスし、前記相手側の画像通信装置のＩＰアドレスを検索する検索手順を記憶する。アドレス取得部４２は、系統の電話番号（例えば内線系統と外線系統）を識別するゲートキーパ識別部２２と、ファクシミリ手順に従ってゲートキーパのＩＰアドレスを取得するための制御プログラム４３を含んでいる。
【００６９】
ＣＰＵ２４は、アドレス取得部４２が記憶する検索手順に従って、前記相手側の画像通信装置のＩＰアドレス及び電話番号を管理するゲートキーパにアクセスすることにより相手側の画像通信装置のＩＰアドレスを検索し、該ＩＰアドレスに基づき当該画像通信装置４０００を前記相手側の画像通信装置に回線接続させる。
ＲＡＭ４４は、上記ファクシミリ手順によって取得したゲートキーパのＩＰアドレスを保存するためのＩＰアドレス保存エリア４５を備える。
具体例４のネットワークシステムの構成は、具体例１の図２で示したネットワークシステムの構成と同様である。
【００７０】
図１０は、具体例４のネットワークシステムの動作説明図である。
図２に示したファクシミリ装置１５０が、ファクシミリ手順に従って、図２に示した相手側のファクシミリ装置１６０に画像をファクシミリ送信している間に、相手側のファクシミリ装置１６０のＩＰアドレスを取得する動作について説明する。
【００７１】
（１）ゲートキーパのＩＰアドレスを取得する動作
ステップＳ３１：オペレータがファクシミリ装置１５０に送信原稿をセットしてファクシミリ装置１６０の外線番号（03-123-4567）を入力すると、ファクシミリ装置１５０は、発呼することにより、ＰＢＸ１７０、公衆回線１９０及びＰＢＸ１８０を介してファクシミリ装置１６０との接続を試みる。
【００７２】
ステップＳ３２：相手側のファクシミリ装置１６０は、ＰＢＸ１８０から受信した呼出のためのリング信号に応答して両ファクシミリ装置１５０及び１６０間に回線を確立する。ファクシミリ装置１６０は、ＣＥＤ信号（被呼局識別）を送出した後、ＮＳＦ信号（非標準機能）及びＤＩＳ信号（ディジタル識別信号）を発信側のファクシミリ装置１５０に送出する。この時、ファクシミリ装置１６０は、前記ＮＳＦ信号に、図２に示すゲートキーパ１３０及びゲートキーパ１４０により管理されている、前記ファクシミリ装置１６０のＩＰアドレスを付加する。
【００７３】
ステップＳ３３：発信側のファクシミリ装置１５０は、相手側のファクシミリ装置１６０から受信した前記ＮＳＦ信号から、受信側のファクシミリ装置１６０のＩＰアドレスを読み出し、読み出された該ＩＰアドレスを該ファクシミリ装置１５０内のＩＰアドレス保存エリア４５に格納する。ファクシミリ装置１５０は、前記ＩＰアドレスを格納すると、ＮＳＳ信号（非標準機能設定）を受信側のファクシミリ装置１６０に送出する。発信側のファクシミリ装置１５０は、さらに、ＴＣＦ信号（トレーニングチェック）を受信側のファクシミリ装置１６０に送出する。
【００７４】
ステップＳ３４：受信側のファクシミリ装置１６０は、発信側のファクシミリ装置１５０からＴＣＦ信号（トレーニングチェック）を受信すると、発信側のファクシミリ装置１５０にＣＦＲ信号（受信信号）を返送する。
ステップＳ３５：発信側のファクシミリ装置１５０は、受信側のファクシミリ装置１６０からＣＦＲ信号（受信信号）を受信すると、画データを送出する。
【００７５】
ステップＳ３６：発信側のファクシミリ装置１５０は、画データを送出すると、ＥＯＰ信号（手順信号）を受信側のファクシミリ装置１６０に送出する。
ステップＳ３７：受信側のファクシミリ装置１６０は、画データを正常に受信すると、前記ＥＯＰ信号（手順信号）に応答して、ＭＣＦ信号（メッセージ確認）を発信側のファクシミリ装置１５０に送出する。
【００７６】
ステップＳ３８：発信側のファクシミリ装置１５０は、前記ＭＣＦ信号（メッセージ確認）を確認すると、ＤＣＮ信号（切断信号）を相手側のファクシミリ装置１６０に送出して回線を切断する。
【００７７】
上記したように、具体例４の相手側の画像通信装置１６０は、電話網を介して画像をファクシミリ送受信する間に、自己のファクシミリ装置１６０のＩＰアドレスが付加されたＮＳＦ信号を発信側のファクシミリ装置１５０へ送出する。したがって、発信側のファクシミリ装置１５０は、前記相手側のファクシミリ装置１６０から受信する前記ＮＳＦ信号から前記相手側のファクシミリ装置１６０のＩＰアドレスを読み出すことにより、該相手側のファクシミリ装置１６０のＩＰアドレスを取得することができる。これにより、発信側のファクシミリ装置１５０は、該ＩＰアドレスに基づくＩＰ網経由で、他の画像を相手側のファクシミリ装置１６０へ送信することが可能になる。
【００７８】
具体例４の画像通信装置は、具体例１のネットワークシステム上で動作することに加え、電話番号／ＩＰアドレス変換テーブル２４１を備えることにより、具体例２のネットワークシステム上で動作することも可能である。
また、上記したように、受信側のファクシミリ装置１６０のＩＰアドレスをＮＳＦ信号に付加することにより、発信側のファクシミリ装置１５０に通知することに加えて、発信側のファクシミリ装置１５０のＩＰアドレスを相手側のファクシミリ装置１６０へのＮＳＳ信号に付加することにより、前記発信側のファクシミリ装置１５０のＩＰアドレスを受信側のファクシミリ装置１６０に通知することも可能である。
【００７９】
〈具体例５〉
具体例５の画像通信装置は、ＩＰ網経由で画像を通信することができないとき、電話網を介して前記画像を送信することを特徴とする。
図１１は、具体例５の構成のブロック図である。図１１で、具体例５の画像通信装置５０００は、電話網接続手段１と、ＩＰ網接続手段２と、通信接続制御手段５０と、アドレス・データバス５と、画像情報圧縮・復元部６と、ラインメモリ７と、画像処理部８と、プリンタ９と、スキャナ１２と、インタフェース１３と、機構制御部１４と、操作・表示部１５とを備える。
【００８０】
通信接続制御手段５０は、上記電話網接続手段１及び上記ＩＰ網接続手段２を制御して画像通信装置５０００を前記相手側の画像通信装置に回線接続させるために、アドレス取得部５２と、ＣＰＵ２４とが配置されている。
アドレス取得部５２は、相手側の画像通信装置の電話番号に基づいて、前記相手側の画像通信装置のＩＰアドレス及び電話番号を管理するゲートキーパにアクセスすることにより前記相手側の画像通信装置のＩＰアドレスを検索する検索手順を記憶する。アドレス取得部５２は、ＩＰ網で回線接続できないときに、内線電話網及び外線電話網を含む電話網に接続切替するプログラムである迂回手段５３を含む。
具体例５の画像通信装置を用いて構成したネットワークシステムの構成は、図２に示した具体例１のネットワークシステムと同様の構成を有する。
【００８１】
図１２は、具体例５の画像通信装置を用いたネットワークシステムの動作説明図である。動作の説明及び理解を容易にすべく、図２に示すファクシミリ装置１５０から図２に示すファクシミリ装置１６０へ画像を送出することを想定する。
【００８２】
ステップＳ４１：オペレータは、ファクシミリ装置１５０に送信原稿をセットして、相手側のファクシミリ装置１６０の外線電話番号（03-123-4567）を入力する。
【００８３】
ステップＳ４２：ファクシミリ装置１５０内の通信接続制御手段５０では、ゲートキーパ識別部２２が、入力された前記電話番号が、内線番号及び外線番号のいずれであるかを判断する。
ステップＳ４３：ゲートキーパ識別部２２は、電話番号の先頭が外線番号を示す「０」であることから、入力された前記電話番号が外線電話番号であることを検出する。これにより、通信接続制御手段５０は、ゲートキーパ１４０へのアクセスの必要性を認識する。通信接続制御手段３は、ファクシミリ装置１６０のＩＰアドレスを取得するため、外線用のゲートキーパ１４０にアクセスする。
【００８４】
ステップＳ４４：内線電話番号（8001）が入力されたときには、入力された前記電話番号の先頭が内線を示す「８」であることから、ゲートキーパ識別部２２は、前記電話番号が内線電話番号であることを検出する。この結果、通信接続制御手段５０は、ゲートキーパ１３０へのアクセスの必要性を認識し、ファクシミリ装置１６０のＩＰアドレスを取得するため、内線用のゲートキーパ１３０にアクセスする。
【００８５】
ステップＳ４５：送信側のファクシミリ装置１５０は、相手側のファクシミリ装置のＩＰアドレスを入手することができたか否かを確認する。
【００８６】
ステップＳ４６：相手側のファクシミリ装置１６０のＩＰアドレスを取得することができたときには、ファクシミリ装置１５０は、取得した前記ＩＰアドレスを用いて発呼する。より具体的には、ファクシミリ装置１５０は、前記ＩＰアドレスに基づいて、相手側のファクシミリ装置１６０に接続要求信号（ＳＥＴＵＰ）を送出する。相手側のファクシミリ装置１６０は、前記接続要求信号（ＳＥＴＵＰ）を受信し、ゲートキーパ１４０に受信許可を求める。ゲートキーパ１４０に許可されると、ファクシミリ装置１６０は、送信側のファクシミリ装置１５０に接続了解信号（ＣＯＮＮＥＣＴ）を返送する。
【００８７】
ステップＳ４７：両ファクシミリ装置１５０、１６０は、通信処理を行う。
ステップＳ４８：ファクシミリ装置１５０は、通信が正常に終了したか否かを判断する。
ステップＳ４９：通信が正常に終了しなかったと判断すると、ファクシミリ装置１５０は、前記異常終了が、ＩＰ網１１０、１２０に起因するか否かを判断する。
ステップＳ５０：前記異常終了がＩＰ網１１０、１２０に起因しないと判断すると、ファクシミリ装置１５０は、通信を終了する。
【００８８】
ステップＳ５１：前記異常終了がＩＰ網１１０、１２０に起因すると判断すると、ファクシミリ装置１５０の通信接続制御手段５０は、迂回手段５３に従って、電話網、すなわち、ＰＢＸ網又は公衆回線網を介した通信を試みる。
ステップＳ５２：ファクシミリ装置１５０は、電話網による通信が正常に終了したか否かを判断する。
電話網経由での通信が正常に終了しなかったと判断すると、ファクシミリ装置１５０は、通信エラー処理を行う。
【００８９】
上記したように、具体例５の画像通信装置では、ＩＰ網経由で画像送信ができないと判断すると、公衆回線または私設回線である電話網を介して、送信されなかった前記画像を送信する。したがって、ＩＰ網経由で画像を送信することができなかったときでも、電話網経由で画像を確実に送信することが可能になる。
【００９０】
〈具体例６〉
具体例６の画像通信装置は、具体例５の画像通信装置と同様に、ＩＰ網経由で画像を送信することができないとき、電話網を介して前記画像を送信することを特徴とする。
具体例６の画像通信装置及びネットワークシステムは、具体例１及び２と同様の構成を有することから、以下、動作について説明する。
【００９１】
図１３は、具体例６のネットワークシステムの動作を示す。動作の説明及び理解を容易にすべく、図２に示した具体例１のファクシミリ装置１５０からファクシミリ装置１６０に画像を送信すること、電話ボタン“＃”の選択がゲートキーパへのアクセス、即ちＩＰ網経由での送信を意味すること、及び“ＯＲ”の指定がＩＰ網経由での送信の試みの後に電話網での送信を試みることを意味することを想定する。
【００９２】
ステップＳ２００：オペレータが送信原稿をセットし、相手側のファクシミリ装置１６０の電話番号を入力する。
ステップＳ２１０：ファクシミリ装置１５０は、入力された前記電話番号の先頭が“＃”であるか否かを判断する。
【００９３】
ステップＳ２２０：“＃”であると判断すると、ファクシミリ装置１５０は、具体例１と同様にして、ゲートキーパ１３０または１４０にアクセスする。
ステップＳ２３０：ファクシミリ装置１５０は、入力された前記電話番号に対応するＩＰアドレスを取得することができたか否かを判断する。
【００９４】
ステップＳ２４０：ＩＰアドレスを取得すると、具体例１及び２と同様にして、前記ＩＰアドレスに基づき、相手側のファクシミリ装置１６０に画像を送信する。
ステップＳ２５０：ファクシミリ装置１５０は、画像送信が正常に終了したか否かを判断する。
【００９５】
ステップＳ２６０：ステップＳ２００で“＃”でないと判断すると、ファクシミリ装置１５０は、“ＯＲ”がファクシミリ装置１５０自身に設定されているか否かを判断する。
【００９６】
ステップＳ２７０：ステップＳ２３０でＩＰアドレスの取得に失敗すると、またはステップＳ２５０でＩＰアドレスに基づく送信に失敗すると、ファクシミリ装置１５０は、前記ステップＳ２６０と同様に、“ＯＲ”が指定されているか否か判断する。
【００９７】
ステップＳ２８０：“ＯＲ”が指定されていると判断すると、ファクシミリ装置１５０は、電話網経由で前記画像を相手側のファクシミリ装置１６０に送信する。具体的には、入力された前記電話番号が外線番号であると判断するときには、ファクシミリ装置１５０は、ＰＢＸ１７０、公衆回線１９０及びＰＢＸ１８０を介して相手側のファクシミリ装置１６０に画像を送信し、他方、入力された前記電話番号が内線番号であると判断するときには、ファクシミリ装置１５０は、ＰＢＸ１７０及びＰＢＸ１８０を介して前記画像を相手側のファクシミリ装置１６０に送信する。
【００９８】
ステップＳ２９０：ファクシミリ装置１５０は、前記電話網経由での画像通信が正常に終了したか否かを判断する。
【００９９】
ステップＳ３００：ステップＳ２４０で“ＯＲ”が指定されていないと判断すると、または、ステップＳ２９０で電話網経由での送信に失敗すると、ファクシミリ装置１５０は、通信エラーの処理を行う。
【０１００】
上記したように、具体例６の画像通信装置では、操作・操作部１５は、“＃”の入力によりＩＰ網経由での送信を電話網経由での送信よりも優先させるように機能する。これにより、例えばＩＰ網経由での送信コストが電話網経由での送信コストより安価であるときには、送信コストを低減することが可能となり、また、例えば、ＩＰ網１１０、１２０の通信状況が良好でないとき、あるいは、ゲートキーパ１３０、１４０の動作が異常であるときには、“＃”を入力しないことにより、ＩＰ網経由での送信を試みることなく直ちに電話網での送信を試みる手順を設定することができることから、ＩＰ網経由での無駄な通信の試みを回避することが可能になる。
【図面の簡単な説明】
【図１】具体例１の構成のブロック図である。
【図２】具体例１の画像通信装置を用いたネットワークシステムの構成図である。
【図３】具体例１の画像通信装置を用いたネットワークシステムの動作説明図である。
【図４】具体例２の構成のブロック図である。
【図５】具体例２の画像通信装置を用いたネットワークシステムの構成図である。
【図６】具体例２の画像通信装置を用いたネットワークシステムの動作説明図である。
【図７】具体例３のネットワークシステムの構成図である。
【図８】具体例３のネットワークシステムの動作説明図である。
【図９】具体例４の構成のブロック図である。
【図１０】具体例４の動作説明図である。
【図１１】具体例５の構成のブロック図である。
【図１２】具体例５の画像通信装置を用いたネットワークシステムの動作説明図である。
【図１３】具体例６のネットワークシステムの動作説明図である。
【符号の説明】
１  電話網接続手段
２  ＩＰ網接続手段
３  通信接続制御手段
５  アドレス・データバス
６  画像情報圧縮・復元部
７  ラインメモリ
８  画像処理部
９  プリンタ
１０  記録紙
１１  送信原稿
１３  インタフェース
１４  機構制御部
１５  操作・表示部
１７  モデム
１８  ＮＣＵ
１９  ＬＡＮインタフェース部
２０  ＬＣＵ
２１  アドレス取得部
２２  ゲートキーパ識別部
２３  ＲＡＭ
２４  ＣＰＵ
【図１】
0003733375.tif 000002
【図２】
0003733375.tif 000003
【図３】
0003733375.tif 000004
【図４】
0003733375.tif 000005
【図５】
0003733375.tif 000006
【図６】
0003733375.tif 000007
【図７】
0003733375.tif 000008
【図８】
0003733375.tif 000009
【図９】
0003733375.tif 000010
【図１０】
0003733375.tif 000011
【図１１】
0003733375.tif 000012
【図１２】
0003733375.tif 000013
【図１３】
0003733375.tif 000014